(57)【特許請求の範囲】
【請求項１】
複数の照明器具が接続される制御機器であって、
照明器具の機種ごとに識別番号の範囲が対応付けられた対応関係を記憶する記憶部と、
前記複数の照明器具のそれぞれの機種を特定する特定部と、
前記対応関係を参照することで、前記特定部が特定した前記複数の照明器具のそれぞれの機種に対応する範囲内の識別番号を、前記複数の照明器具のそれぞれに、互いに同じ機種の照明器具において識別番号が連番になるように割り当てる割当部と、を備える
制御機器。
【請求項２】
前記対応関係は、照明器具の機種ごとに、前記識別番号の範囲と、少なくとも２つの系統のうちのいずれかの系統とが対応付けられた対応関係であり、
前記識別番号の範囲は、前記対応関係において同じ系統が対応付けられた機種ごとに互いに重複しない範囲であり、
前記制御機器は、さらに、前記対応関係を参照することで、前記複数の照明器具のそれぞれと、前記特定部が特定した前記複数の照明器具のそれぞれの機種に対応する系統とを対応付ける対応付け部を備える
請求項１に記載の制御機器。
【請求項３】
前記制御機器は、前記制御機器に接続される変換器が有する複数の接続部を介して前記複数の照明器具が接続され、
前記割当部は、前記接続部に１つの照明器具が接続される場合、前記対応付け部が当該１つの照明器具に対応付けた系統を、当該１つの照明器具が接続される接続部に割り当てる
請求項２に記載の制御機器。
【請求項４】
前記接続部に２つ以上の照明器具が接続される場合、
前記対応付け部が当該２つ以上の照明器具にそれぞれ同じ系統を対応付けたときには、前記割当部は当該系統を当該２つ以上の照明器具が接続される接続部に割り当て、
前記対応付け部は当該２つ以上の照明器具にそれぞれ異なる系統を対応付けたときには、当該２つ以上の照明器具のそれぞれに同じ所定の系統を対応付け直し、
前記割当部は、
前記対応関係を参照することで、前記所定の系統に対応する機種のうちの所定の機種に対応する範囲内の識別番号を、前記対応付け部が系統を対応付け直した照明器具に、当該所定の機種の照明器具において識別番号が連番になるように割り当て直し、
当該所定の系統を当該２つ以上の照明器具が接続される接続部に割り当てる
請求項３に記載の制御機器。
【請求項５】
さらに、表示部を備え、
前記所定の系統は、前記対応付け部が当該２つ以上の照明器具にそれぞれ異なる系統を対応付けたときに、前記表示部が表示するユーザに系統を選択させることを促す画面に基づいて、ユーザにより選択される系統である
請求項４に記載の制御機器。
【請求項６】
前記識別番号の範囲は、照明器具の機種ごとにそれぞれ互いに重複しない範囲である
請求項１に記載の制御機器。
【請求項７】
前記制御機器は、ＤＭＸ（Ｄｉｇｉｔａｌ  Ｍｕｌｔｉｐｌｅｘ）５１２−Ａ規格を用いたＲＤＭ（Ｒｅｍｏｔｅ  Ｄｅｖｉｃｅ  Ｍａｎａｇｅｍｅｎｔ）プロトコルにより、前記複数の照明器具に前記識別番号を割り当てる機器であり、
前記識別番号の範囲は、ＤＭＸ５１２−Ａ規格に準じた全５１２チャネルのうちの所定の範囲である
請求項１〜６のいずれか１項に記載の制御機器。
【請求項８】
制御機器に接続される複数の照明器具への識別番号の割り当て方法であって、
前記制御機器は、照明器具の機種ごとに識別番号の範囲が対応付けられた対応関係を記憶する記憶部を備え、
前記識別番号の割り当て方法は、コンピュータに実行され、
前記複数の照明器具のそれぞれの機種を特定する特定ステップと、
前記対応関係を参照することで、前記特定ステップで特定した前記複数の照明器具のそれぞれの機種に対応する範囲内の識別番号を、前記複数の照明器具のそれぞれに、互いに同じ機種の照明器具において識別番号が連番になるように割り当てる割当ステップと、を含む
識別番号の割り当て方法。
【発明の詳細な説明】
【技術分野】
【０００１】
本発明は、複数の照明器具が接続され当該複数の照明器具に識別番号を割り当てる制御機器、及び、識別番号の割り当て方法に関する。
【背景技術】
【０００２】
劇場、舞台又はスタジオ等において複数の照明器具を制御する照明システムが知られている。複数の照明器具には、それぞれ識別番号が割り当てられ、複数の照明器具は、調光卓等の制御機器に接続される。また、制御機器は、照明器具が所望の動作（例えば、照明器具が所定の調光率又は所定の色の光を出力する動作等）をするための制御データと識別番号とを対応付けて記憶している。そして、制御機器が制御データと識別番号との組み合わせを複数（例えばＤＭＸ（Ｄｉｇｉｔａｌ  Ｍｕｌｔｉｐｌｅｘ）５１２−Ａ規格に準じた５１２個）含む信号を照明器具に送信し、照明器具が当該信号に含まれる自身に割り当てられた識別番号に対応する制御データを実行することで、識別番号が割り当てられた照明器具に当該識別番号に対応する所望の動作をさせることができる。特許文献１には、このような照明システムに関する技術が記載されている。
【先行技術文献】
【特許文献】
【０００３】
【特許文献１】特開２０１４−１２０３５１号公報
【発明の概要】
【発明が解決しようとする課題】
【０００４】
ところで、劇場若しくは舞台等における演目やイベント内容、又は、スタジオにおける撮影内容によって、使用される照明器具が異なるものに変更されたり、照明器具の設置位置が変更されたりする。これらの変更がなされるごとに、照明器具に所望の動作をさせるための制御データが対応付けられる識別番号が、照明器具に手動で割り当てられている。しかしながら、劇場、舞台又はスタジオ等に設置される照明器具は数百台以上となることが多く、それらに手動で識別番号を割り当てる際に、手間が掛かり煩わしいものとなっている。
【０００５】
そこで、本発明は、照明器具を制御するための識別番号を、複数の照明器具に容易に割り当てることができる制御機器及び識別番号の割り当て方法を提供することを目的とする。
【課題を解決するための手段】
【０００６】
本発明の一態様に係る制御機器は、複数の照明器具が接続される制御機器であって、照明器具の機種ごとに識別番号の範囲が対応付けられた対応関係を記憶する記憶部と、前記複数の照明器具のそれぞれの機種を特定する特定部と、前記対応関係を参照することで、前記特定部が特定した前記複数の照明器具のそれぞれの機種に対応する範囲内の識別番号を、前記複数の照明器具のそれぞれに、互いに同じ機種の照明器具において識別番号が連番になるように割り当てる割当部と、を備える。
【０００７】
本発明の一態様に係る識別番号の割り当て方法は、制御機器に接続される複数の照明器具への識別番号の割り当て方法であって、前記複数の照明器具のそれぞれの機種を特定する特定ステップと、前記制御機器が備える記憶部が記憶する対応関係であって、照明器具の機種ごとに識別番号の範囲が対応付けられた対応関係を参照することで、前記特定ステップで特定した前記複数の照明器具のそれぞれの機種に対応する範囲内の識別番号を、前記複数の照明器具のそれぞれに、互いに同じ機種の照明器具において識別番号が連番になるように割り当てる割当ステップと、を含む。
【発明の効果】
【０００８】
本発明の一態様に係る制御機器及び識別番号の割り当て方法によれば、照明器具を制御するための識別番号を、複数の照明器具に容易に割り当てることができる。
【図面の簡単な説明】
【０００９】
【図１】実施の形態１に係る照明システムの一例を示す構成図である。
【図２】実施の形態１に係る記憶部が記憶する対応関係の一例を示すテーブルである。
【図３】実施の形態１に係る制御機器の動作の一例を示すフローチャートである。
【図４Ａ】実施の形態１に係る特定部が特定した複数の照明器具のそれぞれの機種の一例を示す図である。
【図４Ｂ】実施の形態１に係る割当部が複数の照明器具のそれぞれに割り当てた識別番号の一例を示す図である。
【図５Ａ】実施の形態１に係る対応付け部が対応付けた複数の照明器具のそれぞれと系統との対応関係の一例を示す図である。
【図５Ｂ】実施の形態１に係る割当部が複数の接続部のそれぞれに割り当てた系統の一例を示す図である。
【図６】実施の形態２に係る照明システムの一例を示す構成図である。
【図７】実施の形態２に係る制御機器の動作の一例を示すフローチャートである。
【図８Ａ】実施の形態２に係る特定部が特定した複数の照明器具のそれぞれの機種の一例を示す図である。
【図８Ｂ】実施の形態２に係る割当部が複数の照明器具のそれぞれに割り当てた識別番号の一例を示す図である。
【図９Ａ】実施の形態２に係る対応付け部が対応付けた複数の照明器具のそれぞれと系統との対応関係の一例を示す図である。
【図９Ｂ】実施の形態２に係る対応付け部が対応付け直した複数の照明器具のそれぞれと系統との対応関係の一例を示す図である。
【図１０】実施の形態２に係る割当部が複数の照明器具のそれぞれに割り当て直した識別番号の一例を示す図である。
【図１１】実施の形態２に係る割当部が複数の接続部のそれぞれに割り当てた系統の一例を示す図である。
【発明を実施するための形態】
【００１０】
以下では、本発明の実施の形態について、図面を用いて詳細に説明する。なお、以下に説明する実施の形態は、いずれも本発明の好ましい一具体例を示すものである。従って、以下の実施の形態で示される数値、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態１）
以下、実施の形態１について、図１から図５Ｂを用いて説明する。
【００１３】
［照明システムの構成］
図１は、実施の形態１に係る照明システムの一例を示す構成図である。
【００１４】
実施の形態１に係る照明システムでは、制御機器１０は、複数の照明器具２０ａ〜２０ｈが接続される。具体的には、制御機器１０はハブ４０を介して変換器３０ａ、３０ｂ、・・・に接続され、変換器３０ａが有する接続部３１ａ〜３１ｄ及び変換器３０ｂが有する接続部３１ｅ〜３１ｈに照明器具２０ａ〜２０ｈが接続される。なお、以下では変換器３０ａ、３０ｂ、・・・を総称して変換器３０、接続部３１ａ〜３１ｈを総称して接続部３１、照明器具２０ａ〜２０ｈを総称して照明器具２０とも呼ぶ。このように、実施の形態１に係る照明システムでは、制御機器１０は、制御機器１０に接続される変換器３０が有する複数の接続部３１を介して複数の照明器具２０が接続される。
【００１５】
制御機器１０は、例えばＲＤＭ（Ｒｅｍｏｔｅ  Ｄｅｖｉｃｅ  Ｍａｎａｇｅｍｅｎｔ）プロトコルにより、複数の照明器具２０に識別番号を割り当てる機器である。制御機器１０は、例えば、調光卓、ＰＣ（Ｐｅｒｓｏｎａｌ  Ｃｏｍｐｕｔｅｒ）又はタブレット端末等の機器である。制御機器１０と変換器３０との間の通信にイーサネット（登録商標）プロトコルが用いられ、変換器３０と照明器具２０との間の通信にＲＤＭプロトコルが用いられる。ＲＤＭプロトコルは、ＤＭＸ５１２−Ａ規格を用いた双方向通信が可能なプロトコルである。制御機器１０は、ＤＭＸ５１２−Ａ規格に準じた全５１２チャネル（５１２個の識別番号（ＤＭＸ番号））を複数の照明器具２０にそれぞれ割り当てる。各識別番号には、８ビットの制御データが対応付けられる。例えば照明器具が出力する光の調光率又は色が、当該制御データで制御される。また、制御機器１０は、１つの照明器具２０に複数の識別番号を割り当ててもよい。例えば、照明器具２０が赤を出力する光源、緑を出力する光源及び青を出力する光源を有する場合に、各光源をそれぞれ制御するために例えば３つの識別番号が当該照明器具２０に割り当てられ、当該照明器具２０が出力する光の色が細かく制御されてもよい。
【００１６】
なお、制御機器１０（後述する割当部１２）が、照明器具２０に識別番号を割り当てるとは、制御機器１０が、照明器具２０が有する記憶部（図示せず）に識別番号を記憶させることを意味する。例えば、制御機器１０が照明器具２０ａに識別番号１を割り当てる場合、制御機器１０は、照明器具２０ａが有する記憶部に識別番号１を記憶させる。これにより、照明器具２０ａは自身に識別番号１が割り当てられていることを認識できる。例えば、照明器具２０ａは、ＤＭＸ５１２−Ａ規格に準じた５１２個の識別番号と５１２個の識別番号にそれぞれ対応する制御データとを含む信号（以下、ＤＭＸ５１２信号とも呼ぶ）を受信したときに、５１２個の識別番号の中から識別番号１に対応付けられた制御データを実行することで、当該制御データに基づいた動作をすることができる。ＤＭＸ５１２信号は、言い換えると、制御データを格納する５１２個のデータスロットであって、それぞれ１〜５１２の識別番号が対応付けられたデータスロットを有する信号である。複数の照明器具２０に識別番号が割り当てられた後、ユーザは所望の動作をさせたい照明器具２０に割り当てられた識別番号に、所望の動作をさせるための制御データを対応付けていくことでＤＭＸ５１２信号を生成し制御機器１０に記憶させる。制御機器１０は、これらの対応付けが完了したＤＭＸ５１２信号を、変換器３０を介して照明器具２０に送信することで、照明器具２０を制御する。つまり、制御機器１０は、照明器具２０への識別番号の割り当てだけでなく、識別番号を割り当てた照明器具２０の制御も可能な機器である。なお、制御機器１０の照明器具２０への識別番号の割り当ての詳細については、後述する図２から図５Ｂで詳細に説明する。
【００１７】
照明器具２０は、ＲＤＭプロトコルに対応した照明器具である。具体的には、照明器具２０は、ＤＭＸ５１２信号を受信したときに、当該信号に含まれる５１２個の識別番号のうちの自身に割り当てられた識別番号に対応付けられた制御データを実行する。照明器具２０は、光源として例えばＬＥＤ（Ｌｉｇｈｔ  Ｅｍｉｔｔｉｎｇ  Ｄｉｏｄｅ）を有する照明器具である。なお、照明器具２０は、他の光源を利用した照明器具であってもよい。また、照明器具２０が有する記憶部には、自身の機種を示す情報が予め記憶されている。機種を示す情報とは、互いに同じ種類の照明器具に付される例えば品番又はモデル等を示す情報である。互いに機種が同じ照明器具２０には、それぞれ同じ機種を示す情報が予め記憶されている。
【００１８】
変換器３０は、制御機器１０から受信した信号を照明器具２０に送信する。変換器３０ａは、変換部３２ａ及び記憶部３３ａを備え、変換器３０ｂは、変換部３２ｂ及び記憶部３３ｂを備える。また、実施の形態１では、複数の接続部３１のそれぞれに１つの照明器具２０が接続される。例えば、接続部３１ａには、照明器具２０ａのみが接続される。接続部３１は、照明器具２０を変換器３０に接続するための例えばコネクタである。なお、以下では変換部３２ａ及び３２ｂを総称して変換部３２、記憶部３３ａ及び３３ｂを総称して記憶部３３とも呼ぶ。
【００１９】
変換部３２は、イーサネット（登録商標）プロトコルとＲＤＭプロトコルとの変換を行う。例えば、変換部３２は、制御機器１０からイーサネット（登録商標）プロトコルを用いた信号を受信した場合、当該信号を、ＲＤＭプロトコルを用いた信号に変換して照明器具２０に送信する。また、例えば、変換部３２は、照明器具２０からＲＤＭプロトコルを用いた信号を受信した場合、当該信号を、イーサネット（登録商標）プロトコルを用いた信号に変換して制御機器１０に送信する。
【００２０】
記憶部３３は、複数の接続部３１のそれぞれと、複数の接続部３１のそれぞれに割り当てられた系統との対応関係を記憶する。系統及び記憶部３３が記憶する対応関係については後述する。
【００２１】
［制御機器の構成］
次に、制御機器１０の構成の詳細について説明する。
【００２２】
制御機器１０は、特定部１１、割当部１２、対応付け部１３及び記憶部１４を備える。
【００２３】
記憶部１４は、照明器具２０の機種ごとに識別番号の範囲が対応付けられた対応関係を記憶する。具体的には、記憶部１４は、照明器具２０の機種ごとに、識別番号の範囲と、少なくとも２つの系統（ＤＭＸ系統）のうちのいずれかの系統とが対応付けられた対応関係を記憶する。なお、以下で、単に記憶部１４が記憶する対応関係としているものは、照明器具２０の機種ごとに、識別番号の範囲と、少なくとも２つの系統（ＤＭＸ系統）のうちのいずれかの系統とが対応付けられた対応関係のことを意味する。ここで、系統について説明する。
【００２４】
劇場、舞台又はスタジオ等に設置される照明器具２０は数百台以上となることが多く、１つの照明器具２０に複数の識別番号が割り当てられることもあるため、ＤＭＸ５１２−Ａ規格に準じた５１２個の識別番号だけでは全ての照明器具２０を制御できないことがある。そこで、ＤＭＸ５１２信号に例えば系統と呼ぶラベルを付与する。例えば、制御機器１０は、第１系統のＤＭＸ５１２信号と第２系統のＤＭＸ５１２信号とにより、１０２４個の識別番号を用いて複数の照明器具２０を制御することができる。つまり、例えば、第１系統のＤＭＸ５１２信号における識別番号１と第２系統のＤＭＸ５１２信号における識別番号１とにそれぞれ異なる制御データを対応付けることができる。このように、系統は、制御機器１０がより多くの照明器具２０を制御することができるようになるものである。
【００２５】
次に、記憶部１４が記憶する対応関係について、図２を用いて説明する。
【００２６】
図２は、実施の形態１に係る記憶部１４が記憶する対応関係の一例を示すテーブルである。
【００２７】
図２に示されるように、記憶部１４は、機種ごとに系統と識別番号の範囲とが対応付けられた例えばテーブルを記憶する。図２には、例えば、機種「ａ」の照明器具２０に、識別番号１〜１０のうちのいずれかが割り当てられることが示されている。また、図２には、例えば、機種「ａ」の照明器具２０と、第１系統とが対応付けられることが示されている。照明器具２０と系統との対応付けについては後述する図５Ａで説明する。識別番号の範囲は、当該対応関係において同じ系統が対応付けられた機種ごとに互いに重複しない範囲である。具体的には、第１系統が対応付けられた機種「ａ」、「ｃ」及び「ｄ」に対応する識別番号の範囲は、それぞれ１〜１０、１１〜３０、３１〜４０と互いに重複しない範囲である。同様に、第２系統が対応付けられた機種「ｂ」及び「ｅ」に対応する識別番号の範囲は、それぞれ１〜２０、２１〜３０と互いに重複しない範囲である。つまり、同じ系統が対応付けられた機種の照明器具２０であって機種が異なる照明器具２０には、それぞれ識別番号が互いに重複しない範囲から割り当てられる。言い換えると、異なる系統が対応付けられた機種の照明器具２０には、それぞれ識別番号が互いに重複する範囲から割り当てられ得る。例えば、機種「ａ」の照明器具２０と機種「ｂ」の照明器具２０とにはそれぞれ識別番号１が割り当てられ得る。
【００２８】
当該対応関係は、例えば、後述する特定部１１が照明器具２０の機種を特定する前から予め記憶部１４に記憶されていたものである。つまり、ユーザは、特定部１１が照明器具２０の機種を特定する前に、照明器具２０の機種と識別番号の範囲とを予め対応付けて記憶部１４に記憶させておく。
【００２９】
なお、記憶部１４、記憶部３３及び照明器具２０が有する記憶部はそれぞれ、プログラム及びデータを記憶しているＲＯＭ（Ｒｅａｄ  Ｏｎｌｙ  Ｍｅｍｏｒｙ）等の半導体メモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性メモリである。
【００３０】
特定部１１については、後述する図３及び図４Ａで詳細に説明する。
【００３１】
割当部１２については、後述する図３、図４Ｂ及び図５Ｂで詳細に説明する。
【００３２】
対応付け部１３については、後述する図３、図５Ａ及び図５Ｂで詳細に説明する。
【００３３】
特定部１１、割当部１２及び対応付け部１３は、記憶部１４に記憶された制御プログラムを実行するプロセッサ等により実現されるが、マイクロコンピュータ又は専用回路等により実現されてもよい。
【００３４】
［制御機器の動作］
次に、制御機器１０の動作の詳細について図３を用いて説明する。
【００３５】
図３は、実施の形態１に係る制御機器１０の動作の一例を示すフローチャートである。
【００３６】
まず、特定部１１は、複数の照明器具２０のそれぞれの機種を特定する（ステップＳ１１）。例えば、特定部１１は、接続部３１に接続されている照明器具２０からグローバルＩＤを取得する際に、機種を示す情報を取得する。グローバルＩＤは、照明器具２０に固有の、例えば４８ビットからなる識別情報であり、照明器具２０が有する記憶部に予め記憶されている。特定部１１は、ＲＤＭプロトコルによる照明器具２０の探索アルゴリズム（二分探索法を用いたアルゴリズム）によって、複数の接続部３１のうちのいずれかを選択して、選択した接続部３１に接続されている照明器具２０からグローバルＩＤを取得する。特定部１１は、これを全ての接続部３１について行うことで、複数の接続部３１のそれぞれに接続されている照明器具２０からグローバルＩＤを取得する。また、上述したように、特定部１１は、グローバルＩＤを取得するときに機種を示す情報を取得する。例えば、特定部１１は、選択した接続部３１に接続されている照明器具２０からグローバルＩＤ及び機種を示す情報を取得したときに、当該接続部３１と、当該接続部３１に接続されている照明器具２０のグローバルＩＤ及び機種とを対応付けて記憶部１４に記憶する。これにより、制御機器１０は、複数の接続部３１のそれぞれにどのようなグローバルＩＤ及びどのような機種の照明器具２０が接続されているかを認識することができる。このようにして、特定部１１は、複数の照明器具２０のそれぞれの機種を特定することができる。特定部１１は、例えば図４Ａに示されるように複数の照明器具２０のそれぞれの機種を特定したとする。
【００３７】
図４Ａは、実施の形態１に係る特定部１１が特定した複数の照明器具２０のそれぞれの機種の一例を示す図である。
【００３８】
図４Ａに示されるように、特定部１１は、照明器具２０ａ〜２０ｄ及び２０ｇが機種「ａ」、照明器具２０ｅ、２０ｆ及び２０ｈが機種「ｂ」であると特定したとする。
【００３９】
次に、割当部１２は、記憶部１４が記憶する対応関係を参照することで、特定部１１が特定した複数の照明器具２０のそれぞれの機種に対応する範囲内の識別番号を、複数の照明器具２０のそれぞれに、互いに同じ機種の照明器具２０において識別番号が連番になるように割り当てる（ステップＳ１２）。例えば、割当部１２は、機種「ａ」の照明器具２０に、図２に示される対応関係において機種「ａ」に対応する１〜１０内の識別番号を、機種「ａ」の照明器具２０において識別番号が連番になるように割り当てる。また、例えば、割当部１２は、機種「ｂ」の照明器具２０に、図２に示される対応関係において機種「ｂ」に対応する１〜２０内の識別番号を、機種「ｂ」の照明器具２０において識別番号が連番になるように割り当てる。具体的には、割当部１２は、図４Ｂに示されるように複数の照明器具２０のそれぞれに識別番号を割り当てる。
【００４０】
図４Ｂは、実施の形態１に係る割当部１２が複数の照明器具２０のそれぞれに割り当てた識別番号の一例を示す図である。
【００４１】
特定部１１は、図４Ａに示されるように照明器具２０ａ〜２０ｄ及び２０ｇが機種「ａ」であると特定したため、割当部１２は、図４Ｂに示されるように、照明器具２０ａ〜２０ｄ、２０ｇにそれぞれ識別番号１、２、３、４、５を割り当てる。これにより、照明器具２０ａ、２０ｂ、２０ｃ、２０ｄ、２０ｇの順序で、それぞれに割り当てられた識別番号が連番になる。同様に、特定部１１は、図４Ａに示されるように照明器具２０ｅ、２０ｆ及び２０ｈが機種「ｂ」であると特定したため、割当部１２は、図４Ｂに示されるように、照明器具２０ｅ、２０ｆ、２０ｈにそれぞれ識別番号１、２、３を割り当てる。これにより、照明器具２０ｅ、２０ｆ、２０ｈの順序で、それぞれに割り当てられた識別番号が連番になる。
【００４２】
割当部１２は、例えば、特定部１１が機種を早く特定した順序で互いに同じ機種の照明器具２０に識別番号を連番になるように割り当てていく。例えば、特定部１１は、接続部３１ａから順に接続部３１ｂ、３１ｃ、・・・、３１ｈと、それぞれに接続されている照明器具２０の機種を特定したとする。この場合、機種「ａ」については、照明器具２０ａ、２０ｂ、２０ｃ、２０ｄ、２０ｇの順序で機種が特定されるため、照明器具２０ａ、２０ｂ、２０ｃ、２０ｄ、２０ｇの順序で識別番号１、２、３、４、５が割り当てられる。同様に、機種「ｂ」については、照明器具２０ｅ、２０ｆ、２０ｈの順序で機種が特定されるため、照明器具２０ｅ、２０ｆ、２０ｈの順序で識別番号１、２、３が割り当てられる。
【００４３】
次に、対応付け部１３は、記憶部１４が記憶する対応関係を参照することで、複数の照明器具２０のそれぞれと、特定部１１が特定した複数の照明器具２０のそれぞれの機種に対応する系統とを対応付ける（ステップＳ１３）。具体的には、対応付け部１３は、図５Ａに示されるように複数の照明器具２０のそれぞれと系統とを対応付ける。
【００４４】
図５Ａは、実施の形態１に係る対応付け部１３が対応付けた複数の照明器具２０のそれぞれと系統との対応関係の一例を示す図である。
【００４５】
特定部１１は、図４Ａに示されるように照明器具２０ａ〜２０ｄ及び２０ｇが機種「ａ」であると特定したため、対応付け部１３は、照明器具２０ａ〜２０ｄ及び２０ｇと、図２に示される対応関係において機種「ａ」に対応する第１系統とを対応付ける。同様に、特定部１１は、図４Ａに示されるように照明器具２０ｅ、２０ｆ及び２０ｈが機種「ｂ」であると特定したため、対応付け部１３は、照明器具２０ａ〜２０ｄ及び２０ｇと、図２に示される対応関係において機種「ｂ」に対応する第２系統とを対応付ける。
【００４６】
なお、対応付け部１３が照明器具２０と系統とを対応付けるとは、例えば、対応付け部１３が照明器具２０と系統との対応関係を記憶部１４に記憶させることを意味する。例えば、対応付け部１３が照明器具２０ａと第１系統とを対応付ける場合、対応付け部１３は、記憶部１４に照明器具２０ａと第１系統とが対応付けられていることを記憶させる。このようにして、制御機器１０は、複数の照明器具２０のそれぞれと系統との対応関係を認識できる。
【００４７】
次に、割当部１２は、接続部３１に１つの照明器具２０が接続される場合、対応付け部１３が当該１つの照明器具２０に対応付けた系統を、当該１つの照明器具２０が接続される接続部３１に割り当てる（ステップＳ１４）。具体的には、割当部１２は、図５Ｂに示されるように複数の接続部３１のそれぞれに系統を割り当てる。
【００４８】
図５Ｂは、実施の形態１に係る割当部１２が複数の接続部３１のそれぞれに割り当てた系統の一例を示す図である。
【００４９】
対応付け部１３は、図５Ａに示されるように照明器具２０ａ〜２０ｄ及び２０ｇと第１系統とを対応付けたため、割当部１２は、照明器具２０ａ〜２０ｄ及び２０ｇがそれぞれ接続されている接続部３１ａ〜３１ｄ及び３１ｇに第１系統を割り当てる。同様に、対応付け部１３は、図５Ａに示されるように照明器具２０ｅ、２０ｆ及び２０ｈと第２系統とを対応付けたため、割当部１２は、照明器具２０ｅ、２０ｆ及び２０ｈがそれぞれ接続されている接続部３１ｅ、３１ｆ及び３１ｈに第２系統を割り当てる。上述したように、記憶部１４は、複数の接続部３１のそれぞれにどの照明器具２０（グローバルＩＤ）が接続されているかを示す情報を記憶しているため、割当部１２は、複数の照明器具２０のそれぞれが接続されている接続部３１を認識することができ、接続部３１に系統を割り当てることができる。
【００５０】
なお、割当部１２が、接続部３１に系統を割り当てるとは、割当部１２が、変換器３０が有する記憶部３３に接続部３１と系統とを対応付けて記憶させることを意味する。具体的には、複数の接続部３１のそれぞれには予め例えば接続部番号が対応付けられており、割当部１２は、記憶部３３に接続部番号と系統とを対応付けて記憶させる。例えば、割当部１２が接続部３１ａに第１系統を割り当てる場合、割当部１２は、記憶部３３に接続部３１ａの接続部番号と第１系統とを対応付けて記憶させる。このように、変換器３０は自身が有する接続部３１に割り当てられている系統を認識できる。
【００５１】
なお、照明器具２０は、受信したＤＭＸ５１２信号がどの系統に属するかを認識しないため、受信したＤＭＸ５１２信号の系統に関係なくＤＭＸ５１２信号に含まれる５１２個の識別番号の中から自身の識別番号に対応付けられた制御データを実行する。したがって、変換器３０が照明器具２０に、当該照明器具２０に対応する系統と異なる系統のＤＭＸ５１２信号を送信した場合でも、当該異なる系統のＤＭＸ５１２信号に含まれる５１２個の識別番号の中から自身の識別番号に対応付けられた制御データを実行してしまう。つまり、互いに異なる系統のＤＭＸ５１２信号にそれぞれ含まれる同じ識別番号（例えば第１系統の識別番号１及び第２系統の識別番号１）に異なる制御データが対応付けられている場合には、照明器具２０は、所望の動作と異なる動作をしてしまうことがある。しかしながら、変換器３０は、自身が有する複数の接続部３１のそれぞれにどの系統が割り当てられているかを認識しているため、照明器具２０に当該照明器具２０に対応する系統のＤＭＸ５１２信号を送信して、照明器具２０は所望の動作をすることができる。
【００５２】
例えば、制御機器１０が第１系統のＤＭＸ５１２信号と第２系統のＤＭＸ５１２信号とを変換器３０ａに送信した場合、変換器３０ａは、第１系統が割り当てられている接続部３１ａ〜３１ｄに接続されている照明器具２０ａ〜２０ｄに第１系統のＤＭＸ５１２信号を送信する。同様に、例えば、制御機器１０が第１系統のＤＭＸ５１２信号と第２系統のＤＭＸ５１２信号とを変換器３０ｂに送信した場合、変換器３０ｂは、第１系統が割り当てられている接続部３１ｇに接続されている照明器具２０ｇに第１系統のＤＭＸ５１２信号を送信し、第２系統が割り当てられている接続部３１ｅ、３１ｆ及び３１ｈに接続されている照明器具２０ｅ、２０ｆ及び２０ｈに第２系統のＤＭＸ５１２信号を送信する。例えば、照明器具２０ａ及び２０ｅには、図４Ｂに示されるようにそれぞれ識別番号１が割り当てられている。しかし、照明器具２０ａは第１系統のＤＭＸ５１２信号に含まれる識別番号１に対応付けられた制御データを実行し、照明器具２０ｅは第２系統のＤＭＸ５１２信号に含まれる識別番号１に対応付けられた制御データを実行するため、照明器具２０ａ及び２０ｅは、それぞれの所望の動作をすることができる。
【００５３】
なお、割当部１２が、接続部３１に系統を割り当てるとは、割当部１２が、制御機器１０が有する記憶部１４に接続部３１と系統とを対応付けて記憶させることを意味してもよい。この場合には、制御機器１０は、変換器３０ａに対して、第１系統のＤＭＸ５１２信号を送信し、第１系統が割り当てられている接続部３１ａ〜３１ｄに接続されている照明器具２０ａ〜２０ｄに第１系統のＤＭＸ５１２信号を送信させてもよい。また、制御機器１０は、変換器３０ｂに対して、第１系統のＤＭＸ５１２信号及び第２系統のＤＭＸ５１２信号を送信し、第１系統が割り当てられている接続部３１ｇに接続されている照明器具２０ｇに第１系統のＤＭＸ５１２信号を送信させ、第２系統が割り当てられている接続部３１ｅ、３１ｆ及び３１ｈに接続されている照明器具２０ｅ、２０ｆ及び２０ｈに第２系統のＤＭＸ５１２信号を送信させてもよい。
【００５４】
このように、割当部１２は、接続部３１に１つの照明器具２０が接続される場合に、１つの照明器具２０に対応する系統を、当該１つの照明器具２０が接続される接続部３１に割り当てることで、照明器具２０は、自身に対応する系統のＤＭＸ５１２信号に基づき所望の動作をすることができる。
【００５５】
［効果等］
従来、劇場、舞台又はスタジオ等に設置される照明器具は数百台以上となることが多く、それらに手動で識別番号を割り当てる際に、手間が掛かり煩わしいものとなっていた。
【００５６】
そこで、本実施の形態に係る制御機器１０は、複数の照明器具２０が接続される制御機器である。制御機器１０は、照明器具２０の機種ごとにそれぞれ識別番号の範囲が対応付けられた対応関係を記憶する記憶部１４と、複数の照明器具２０のそれぞれの機種を特定する特定部１１と、を備える。また、制御機器１０は、記憶部１４が記憶する対応関係を参照することで、特定部１１が特定した複数の照明器具２０のそれぞれの機種に対応する範囲内の識別番号を、複数の照明器具２０のそれぞれに、互いに同じ機種の照明器具２０において識別番号が連番になるように割り当てる割当部１２を備える。
【００５７】
また、本実施の形態に係る識別番号の割り当て方法は、制御機器１０に接続される複数の照明器具２０への識別番号の割り当て方法である。当該方法は、複数の照明器具２０のそれぞれの機種を特定する特定ステップを含む。また、当該方法は、制御機器１０が備える記憶部１４が記憶する対応関係であって、照明器具２０の機種ごとに識別番号の範囲が対応付けられた対応関係を参照することで、特定ステップで特定した複数の照明器具２０のそれぞれの機種に対応する範囲内の識別番号を、複数の照明器具２０のそれぞれに、互いに同じ機種の照明器具２０において識別番号が連番になるように割り当てる割当ステップを含む。
【００５８】
これにより、制御機器１０（割当部１２）は、複数の照明器具２０のそれぞれに、記憶部１４が記憶する対応関係に基づいて、複数の照明器具２０のそれぞれの機種に対応する識別番号の範囲の中から自動で識別番号を割り当てるため、照明器具２０を制御するための識別番号を、複数の照明器具２０に容易に割り当てることができる。また、例えば、ユーザは、制御機器１０が照明器具２０を制御するための信号（例えばＤＭＸ５１２信号）に含まれる識別番号と制御データとの対応付けを行うときに、機種ごとに当該対応付けを行うことが多い。しかしながら、互いに同じ機種の照明器具２０にランダムに識別番号が割り当てられているときには、当該対応付けを行うのに手間が掛かってしまう。一方、本実施の形態の制御機器１０は、互いに同じ機種の照明器具２０において識別番号が連番になるように、複数の照明器具２０のそれぞれに識別番号を割り当てるため、互いに機種が同じ照明器具２０の識別番号が連番となってまとまっており、例えば機種ごとの識別番号と制御データとの対応付けが容易になる。
【００５９】
また、対応関係は、照明器具２０の機種ごとに、識別番号の範囲と、少なくとも２つの系統のうちのいずれかの系統とが対応付けられた対応関係である。また、識別番号の範囲は、記憶部１４が記憶する対応関係において同じ系統が対応付けられた機種ごとに互いに重複しない範囲である。また、制御機器１０は、さらに、記憶部１４が記憶する対応関係を参照することで、複数の照明器具２０のそれぞれと、特定部１１が特定した複数の照明器具２０のそれぞれの機種に対応する系統とを対応付ける対応付け部１３を備える。
【００６０】
例えばＤＭＸ５１２−Ａ規格に準じた５１２個の識別番号だけでは全ての照明器具２０を制御できないことがある。そこで、照明器具２０を制御するための信号（ＤＭＸ５１２信号）に例えば系統と呼ぶラベルを付与する。また、対応付け部１３が照明器具２０と系統とを対応付けるため、制御機器１０は、どの系統のＤＭＸ５１２信号をどの照明器具２０に送信すればいいかを認識できる。これにより、識別番号と照明器具２０を制御するための制御データとの対応付けを系統ごとのＤＭＸ５１２信号において行うことができ、より多くの照明器具２０を制御することができる。制御機器１０は、例えばＤＭＸ５１２信号に系統が付与されていない場合には、最大５１２個の照明器具２０のみ制御可能であったが、異なる系統のＤＭＸ５１２信号１つにつき、制御可能な照明器具２０を５１２個増やすことができる。また、互いに同じ系統が対応付けられた機種ごとに互いに重複しない識別番号の範囲（例えば、１〜１０及び１１〜３０のように互いに重複しない範囲）から識別番号を割り当てることができるため、機種ごとの識別番号をユーザが管理しやすくなる。
【００６１】
また、制御機器１０は、制御機器１０に接続される変換器３０が有する複数の接続部３１を介して複数の照明器具２０が接続される。また、割当部１２は、接続部３１に１つの照明器具２０が接続される場合、対応付け部１３が当該１つの照明器具２０に対応付けた系統を、当該１つの照明器具２０が接続される接続部３１に割り当てる。
【００６２】
これにより、１つの照明器具２０が接続された接続部３１に、当該１つの照明器具２０に対応する系統が割り当てられるため、照明器具２０は、自身に対応付けられている系統を管理する必要がなくなり、照明器具２０におけるデータ処理を減らすことができる。つまり、照明器具２０は、複数の異なる系統の信号のうち接続されている接続部３１に割り当てられている系統（つまり当該照明器具２０に対応する系統）の信号のみを受信するため、受信した信号が自身に対応する系統の信号か否かを判定する必要がなく、データ処理を減らすことができる。
【００６３】
また、制御機器１０は、ＤＭＸ５１２−Ａ規格を用いたＲＤＭプロトコルにより、複数の照明器具２０に識別番号を割り当てる機器であり、識別番号の範囲は、ＤＭＸ５１２−Ａ規格に準じた全５１２チャネルのうちの所定の範囲である。
【００６４】
これにより、例えば劇場、舞台又はスタジオ等に設置された複数の照明器具２０を、ＤＭＸ５１２−Ａ規格を用いたＲＤＭプロトコルによって容易に制御できる。
【００６５】
（実施の形態２）
以下、実施の形態２について、図６から図１１を用いて説明する。
【００６６】
図６は、実施の形態２に係る照明システムの一例を示す構成図である。
【００６７】
実施の形態２に係る照明システムでは、接続部３１に２つ以上の照明器具２０がいわゆるデイジーチェーン形式で接続され得る点が実施の形態１に係る照明システムと異なる。また、割当部１２及び対応付け部１３は、１つの接続部３１に２つ以上の照明器具２０が接続される場合には、当該１つの接続部３１及び当該２つ以上の照明器具２０に対して実施の形態１における動作と異なる動作をする。なお、割当部１２及び対応付け部１３は、１つの接続部３１に１つの照明器具２０が接続される場合には、当該１つの接続部３１及び１つの照明器具２０に対して実施の形態１における動作と同じ動作をする。その他の構成は、実施の形態１に係る照明システムにおけるものと同じであるため、説明は省略する。
【００６８】
図６に示されるように、接続部３１ａには照明器具２０ａ及び２０ｉが接続され、接続部３１ｈには照明器具２０ｈ及び２０ｊが接続されている。なお、１つの接続部３１には、例えば３２個等の複数の照明器具２０が接続され得るが、ここでは説明を簡単にするため、１つの接続部３１に２つの照明器具２０が接続されている例を示している。この場合の本実施の形態に係る制御機器１０の動作について図７を用いて説明する。
【００６９】
図７は、実施の形態２に係る制御機器１０の動作の一例を示すフローチャートである。
【００７０】
ステップＳ１１〜ステップＳ１３における処理は実施の形態１におけるものと同じであるため、説明は省略する。なお、記憶部１４が記憶する対応関係は、図２に示されるものとする。また、本実施の形態では、特定部１１は、例えば図８Ａに示されるように複数の照明器具２０のそれぞれの機種を特定したとする。
【００７１】
図８Ａは、実施の形態２に係る特定部１１が特定した複数の照明器具２０のそれぞれの機種の一例を示す図である。
【００７２】
図８Ａに示されるように、特定部１１は、照明器具２０ａ〜２０ｄ、２０ｇ、２０ｉ及び２０ｊが機種「ａ」、照明器具２０ｅ、２０ｆ及び２０ｈが機種「ｂ」であると特定したとする。
【００７３】
また、本実施の形態では、割当部１２は、図８Ｂに示されるように複数の照明器具２０のそれぞれに識別番号を割り当てる。
【００７４】
図８Ｂは、実施の形態２に係る割当部１２が複数の照明器具２０のそれぞれに割り当てた識別番号の一例を示す図である。
【００７５】
特定部１１は、図８Ａに示されるように照明器具２０ａ〜２０ｄ、２０ｇ、２０ｉ及び２０ｊが機種「ａ」であると特定したため、割当部１２は、図８Ｂに示されるように、照明器具２０ａ、２０ｉ、２０ｂ、２０ｃ、２０ｄ、２０ｇ、２０ｊにそれぞれ識別番号１、２、３、４、５、６、７を割り当てる。同様に、特定部１１は、図８Ａに示されるように照明器具２０ｅ、２０ｆ及び２０ｈが機種「ｂ」であると特定したため、割当部１２は、図８Ｂに示されるように、照明器具２０ｅ、２０ｆ及び２０ｈにそれぞれ識別番号１、２、３を割り当てる。
【００７６】
上述したように、割当部１２は、例えば、特定部１１が機種を早く特定した順序で互いに同じ機種の照明器具２０に識別番号を連番になるように割り当てていく。例えば、特定部１１は、接続部３１ａから順に接続部３１ｂ、３１ｃ、・・・、３１ｈと、それぞれに接続されている照明器具２０の機種を特定したとする。この場合、機種「ａ」については、照明器具２０ａ、２０ｉ、２０ｂ、２０ｃ、２０ｄ、２０ｇ、２０ｊの順序で機種が特定されるため、照明器具２０ａ、２０ｉ、２０ｂ、２０ｃ、２０ｄ、２０ｇ、２０ｊの順序で識別番号１、２、３、４、５、６、７が割り当てられる。同様に、機種「ｂ」については、照明器具２０ｅ、２０ｆ、２０ｈの順序で機種が特定されるため、照明器具２０ｅ、２０ｆ、２０ｈの順序で識別番号１、２、３が割り当てられる。
【００７７】
また、本実施の形態では、対応付け部１３は、図９Ａに示されるように複数の照明器具２０のそれぞれと系統とを対応付ける。
【００７８】
図９Ａは、実施の形態２に係る対応付け部１３が対応付けた複数の照明器具２０のそれぞれと系統との対応関係の一例を示す図である。
【００７９】
特定部１１は、図８Ａに示されるように照明器具２０ａ〜２０ｄ、２０ｇ、２０ｉ及び２０ｊが機種「ａ」であると特定したため、対応付け部１３は、照明器具２０ａ〜２０ｄ、２０ｇ、２０ｉ及び２０ｊと、図２に示される対応関係において機種「ａ」に対応する第１系統とを対応付ける。同様に、特定部１１は、図８Ａに示されるように照明器具２０ｅ、２０ｆ及び２０ｈが機種「ｂ」であると特定したため、対応付け部１３は、照明器具２０ａ〜２０ｄ及び２０ｇと、図２に示される対応関係において機種「ｂ」に対応する第２系統とを対応付ける。
【００８０】
そして、接続部３１に１つの照明器具２０が接続される場合には、ステップＳ１４の処理が行われる。本実施の形態に係る照明システムでは、接続部３１ｂ〜３１ｇには１つの照明器具２０が接続されるため、接続部３１ｂ〜３１ｇに関してステップＳ１４の処理が行われる。
【００８１】
一方、接続部３１に２つ以上の照明器具２０が接続される場合には、ステップＳ２１〜ステップＳ２５の処理が行われる。本実施の形態に係る照明システムでは、接続部３１ａ及び３１ｈに２つの照明器具２０が接続されるため、接続部３１ａ及び３１ｈに関してステップＳ２１以降の処理が行われる。
【００８２】
対応付け部１３は、接続部３１に接続される２つ以上（本実施の形態では２つ）の照明器具２０にそれぞれ異なる系統を対応付けたか否かを判定する（ステップＳ２１）。図９Ａに示されるように、対応付け部１３は、接続部３１ａに接続される照明器具２０ａ及び２０ｉにはそれぞれ第１系統を対応付け、接続部３１ｈに接続される照明器具２０ｈ及び２０ｊにはそれぞれ第２系統と第１系統とを対応付けている。
【００８３】
対応付け部１３が接続部３１に接続される２つ以上の照明器具２０にそれぞれ同じ系統を対応付けた場合（ステップＳ２１でＮｏ）、割当部１２は当該系統を当該２つ以上の照明器具２０が接続される接続部３１に割り当てる（ステップＳ２２）。具体的には、接続部３１ａに接続される照明器具２０ａ及び２０ｉにそれぞれ同じ系統として第１系統が対応付けられているため、割当部１２は、第１系統を接続部３１ａに割り当てる。
【００８４】
一方、対応付け部１３は接続部３１に接続される２つ以上の照明器具２０にそれぞれ異なる系統を対応付けた場合（ステップＳ２１でＹｅｓ）、２つ以上の照明器具２０のそれぞれに同じ所定の系統を対応付け直す（ステップＳ２３）。ここで、所定の系統は、例えば、予め定められた系統であってもよい。予め定められた系統は、例えば、第１系統というように、固定の系統であってもよいし、当該異なる系統のうちの数値が最も小さい又は最も大きい等の予め定められたルールに基づく系統であってもよい。また、所定の系統は、対応付け部１３が２つ以上の照明器具２０にそれぞれ異なる系統を対応付けたときに、例えば制御機器１０が備える表示部（図示せず）が表示する、ユーザに系統を選択させることを促す画面に基づいて、ユーザにより選択される系統であってもよい。表示部は、例えばタッチパネルディスプレイ等である。このように、所定の系統はユーザが表示部を介して選択した系統であってもよい。本実施の形態では、対応付け部１３は図９Ｂに示されるように２つの照明器具２０のそれぞれに同じ所定の系統を対応付け直す。
【００８５】
図９Ｂは、実施の形態２に係る対応付け部１３が対応付け直した複数の照明器具２０のそれぞれと系統との対応関係の一例を示す図である。
【００８６】
本実施の形態では、所定の系統は第１系統であり、図９Ｂに示されるように、対応付け部１３は、第２系統を対応付けていた照明器具２０ｈに第１系統を対応付け直す。これにより、接続部３１ｈに接続される照明器具２０ｈ及び２０ｊに対応付けられた系統が互いに同じ系統になる。
【００８７】
次に、割当部１２は、記憶部１４が記憶する対応関係を参照することで、所定の系統に対応する機種のうちの所定の機種に対応する範囲内の識別番号を、対応付け部１３が系統を対応付け直した照明器具２０に、所定の機種の照明器具２０において識別番号が連番になるように割り当て直す（ステップＳ２４）。所定の系統に対応する機種のうちの所定の機種は、特に限定されないが、例えば、当該対応関係において所定の系統に対応する識別番号の範囲のうちの最も値の小さい範囲に対応する機種である。所定の系統が第１系統の場合、第１系統に対応する数値範囲は、１〜１０、１１〜３０及び３１〜４０、・・・であり、これらのうち最も値の小さい数値範囲は１〜１０である。したがって、所定の機種は、識別番号の範囲１〜１０に対応する「ａ」となる。これにより、割当部１２は、図１０に示されるように、対応付け部１３が系統を対応付け直した照明器具２０として照明器具２０ｈに識別番号を割り当て直す。
【００８８】
図１０は、実施の形態２に係る割当部１２が複数の照明器具２０のそれぞれに割り当て直した識別番号の一例を示す図である。
【００８９】
割当部１２は、すでに機種「ａ」の照明器具２０ａ〜２０ｄ、２０ｇ、２０ｉ及び２０ｊにそれぞれ識別番号１〜７を割り当てている。したがって、図１０に示されるように、割当部１２は、照明器具２０ｈに識別番号７の次の番号である識別番号８を割り当て直す。
【００９０】
そして、割当部１２は、所定の系統を当該２つ以上の照明器具２０が接続される接続部３１に割り当てる（ステップＳ２５）。具体的には、割当部１２は、図１１に示されるように複数の接続部３１のそれぞれに系統を割り当てる。
【００９１】
図１１は、実施の形態２に係る割当部１２が複数の接続部３１のそれぞれに割り当てた系統の一例を示す図である。
【００９２】
対応付け部１３は、図９Ｂに示されるように照明器具２０ａ〜２０ｄ、２０ｇ〜２０ｊと第１系統とを対応付けたため、割当部１２は、照明器具２０ａ〜２０ｄ及び２０ｇ〜２０ｊがそれぞれ接続されている接続部３１ａ〜３１ｄ、３１ｇ及び３１ｈに第１系統を割り当てる。同様に、対応付け部１３は、図９Ｂに示されるように照明器具２０ｅ及び２０ｆと第２系統とを対応付けたため、割当部１２は、照明器具２０ｅ及び２０ｆがそれぞれ接続されている接続部３１ｅ及び３１ｆに第２系統を割り当てる。
【００９３】
上述したように、照明器具２０は、受信したＤＭＸ５１２信号がどの系統に属するかを認識しないため、受信したＤＭＸ５１２信号の系統に関係なくＤＭＸ５１２信号に含まれる５１２個の識別番号の中から自身の識別番号に対応付けられた制御データを実行する。したがって、対応付けられた系統が異なる２つ以上の照明器具２０が１つの接続部３１に接続されている場合、当該１つの接続部３１から、ある系統のＤＭＸ５１２信号が当該２つ以上の照明器具２０に送信された場合、当該２つ以上の照明器具２０のうちのいずれか１つ以上は、所望の系統とは異なる系統のＤＭＸ５１２信号に含まれる制御データを実行してしまう。しかしながら、本実施の形態では、１つの接続部３１に接続される２つ以上の照明器具２０には、互いに同じ系統が対応付けられているため、変換器３０は、当該１つの接続部３１を介して当該系統のＤＭＸ５１２信号を当該２つ以上の照明器具２０に送信し、当該２つ以上の照明器具２０は、所望の動作をすることができる。
【００９４】
［効果等］
接続部３１に２つ以上の照明器具２０が接続される場合、対応付け部１３が当該２つ以上の照明器具２０にそれぞれ同じ系統を対応付けたときには、割当部１２は当該系統を当該２つ以上の照明器具２０が接続される接続部３１に割り当てる。また、対応付け部１３は、当該２つ以上の照明器具２０にそれぞれ異なる系統を対応付けたときには、当該２つ以上の照明器具２０のそれぞれに同じ所定の系統を対応付け直す。割当部１２は、記憶部１４が記憶する対応関係を参照することで、所定の系統に対応する機種のうちの所定の機種に対応する範囲内の識別番号を、対応付け部１３が系統を対応付け直した照明器具２０に、所定の機種の照明器具２０において識別番号が連番になるように割り当て直す。そして、割当部１２は、所定の系統を当該２つ以上の照明器具２０が接続される接続部３１に割り当てる。
【００９５】
記憶部１４が記憶する対応関係に基づいて対応付け部１３が複数の照明器具２０と系統とを対応付けた場合、１つの接続部３１にデイジーチェーン形式等で接続される２つ以上の照明器具２０にそれぞれ異なる系統が対応付けられることがある。当該１つの接続部３１に接続された２つ以上の照明器具２０はそれぞれ同じ系統の信号（ＤＭＸ５１２信号）を受信するため、この場合、当該２つ以上の照明器具２０のうちの少なくとも１つは所望の系統とは異なる系統のＤＭＸ５１２信号に含まれる制御データを実行してしまう。しかしながら、本実施の形態では、１つの接続部３１に接続される２つ以上の照明器具２０にそれぞれ異なる系統が対応付けられた場合、当該２つ以上の照明器具２０のそれぞれに同じ系統が対応付け直されるため、当該２つ以上の照明器具２０のそれぞれは所望の系統のＤＭＸ５１２信号に含まれる制御データを実行できる。ただし、系統が対応付け直された照明器具２０は、記憶部１４が記憶する対応関係において当該照明器具２０の機種に対応する識別番号の範囲とは異なる範囲の識別番号が割り当て直される。例えば、図２、図８Ａ及び図１０に示されるように、機種「ｂ」の照明器具２０ｈには、機種「ａ」に対応する１〜１０内から識別番号８が割り当てられる。したがって、この場合には、互いに同じ機種の照明器具２０であっても、識別番号が連番になっていない照明器具２０が発生するため、例えば、制御機器１０が備える表示部等によって、どの照明器具２０の識別番号が割り当て直されたかをユーザが確認できるようにしておくことが好ましい。
【００９６】
また、制御機器１０は、さらに、表示部を備える。また、所定の系統は、対応付け部１３が１つの接続部３１に接続される２つ以上の照明器具２０にそれぞれ異なる系統を対応付けたときに、表示部が表示するユーザに系統を選択させることを促す画面に基づいて、ユーザにより選択される系統である。
【００９７】
これにより、対応付け部１３が１つの接続部３１に接続される２つ以上の照明器具２０にそれぞれ異なる系統を対応付けたときに、ユーザ所望の系統を接続部３１に割り当てることができる。
【００９８】
（その他の実施の形態）
以上、実施の形態に係る制御機器１０及び識別番号の割り当て方法について説明したが、本発明は、上記実施の形態に限定されるものではない。
【００９９】
例えば、上記実施の形態では、系統ごとのＤＭＸ５１２信号によって照明器具２０が制御されたが、これに限らない。例えば、制御機器１０に接続される複数の照明器具２０が、例えばＤＭＸ５１２−Ａ規格に準じた５１２個の識別番号のみで制御可能な場合には、ＤＭＸ５１２信号は系統が付与されなくてもよい。この場合、記憶部１４が記憶する対応関係に、系統が含まれていなくてもよい。また、識別番号の範囲は、当該対応関係において同じ系統が対応付けられた機種ごとに互いに重複しない範囲でなくてもよく、照明器具２０の機種ごとにそれぞれ互いに重複しない範囲であればよい。
【０１００】
この場合でも、機種ごとに互いに重複しない識別番号の範囲（例えば、１〜１０及び１１〜３０のように互いに重複しない範囲）から識別番号を割り当てることができるため、機種ごとの識別番号をユーザが管理しやすくなる。
【０１０１】
また、上記実施の形態では、記憶部１４が記憶する対応関係は、特定部１１が照明器具２０の機種を特定する前から予め記憶されていたものであったが、これに限らない。例えば、記憶部１４が記憶する対応関係は、特定部１１が照明器具２０の機種を特定した後に、記憶部１４に記憶されるものであってもよい。つまり、ユーザは、特定部１１が照明器具２０の機種を特定した後に、特定部１１が特定した機種と所望の識別番号の範囲とを対応付けて記憶部１４に記憶させてもよい。
【０１０２】
また、上記実施の形態では、機種ごとに対応する識別番号の範囲は、図２に示されるようなものであったが、これに限らない。機種ごとに対応する識別番号の範囲は、ユーザにより自由に設定され得る。例えば、ある機種に対応する識別番号の範囲は、照明システムにおいて接続されている当該機種の照明器具２０の数よりも多く設定される。これにより、今後、当該機種の照明器具２０が追加で設置された場合であっても、追加で設置された照明器具２０に当該識別番号の範囲における欠番から識別番号を割り当てることができる。
【０１０３】
また、実施の形態２では、対応付け部１３が１つの接続部３１に接続されている２つ以上の照明器具２０にそれぞれ異なる系統を対応付けたときに、２つ以上の照明器具２０の少なくとも１つの照明器具２０は系統が対応付け直され、識別番号が割り当て直されたが、これに限らない。例えば、この場合、１つの接続部３１に接続される２つ以上の照明器具２０の機種がそれぞれ同じ機種、又は同じ系統の機種になるように照明器具２０が設置され直されてもよい。
【０１０４】
また、本発明は、制御機器１０として実現できるだけでなく、制御機器１０を構成する各構成要素が行うステップ（処理）を含む方法として実現できる。
【０１０５】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１０６】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【０１０７】
また、上記実施の形態の制御機器１０に含まれる各構成要素は、専用又は汎用の回路として実現されてもよい。
【０１０８】
また、上記実施の形態の制御機器１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１０９】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【０１１０】
さらに、半導体技術の進歩又は派生する別技術によりＬＳＩに置き換わる集積回路化の技術が登場すれば、当然、その技術を用いて、制御機器１０に含まれる各構成要素の集積回路化が行われてもよい。
【０１１１】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１２】
１０  制御機器
１１  特定部
１２  割当部
１３  対応付け部
１４、３３、３３ａ、３３ｂ  記憶部
２０、２０ａ〜２０ｊ  照明器具
３０、３０ａ、３０ｂ  変換器
３１、３１ａ〜３１ｈ  接続部
【図１】
0006739056.tif 000002
【図２】
0006739056.tif 000003
【図３】
0006739056.tif 000004
【図４Ａ】
0006739056.tif 000005
【図４Ｂ】
0006739056.tif 000006
【図５Ａ】
0006739056.tif 000007
【図５Ｂ】
0006739056.tif 000008
【図６】
0006739056.tif 000009
【図７】
0006739056.tif 000010
【図８Ａ】
0006739056.tif 000011
【図８Ｂ】
0006739056.tif 000012
【図９Ａ】
0006739056.tif 000013
【図９Ｂ】
0006739056.tif 000014
【図１０】
0006739056.tif 000015
【図１１】
0006739056.tif 000016